(57)【要約】【課題】接近鎖錠連動表生成システムに係り、鉄道信号の連動装置に組み込む接近鎖錠又は保留鎖錠データを自動作成することを課題とする。【解決手段】接近開始点設定部１０２は、配線略図データベース１０１から取得した信号機の種別と通過の有無、及び予め標準鎖錠条件テーブル１０３に登録されている標準鎖錠タイプと標準解錠時素に基づいて、接近開始点と接近開始点候補列を生成し、接近軌道回路・進路列生成部１０６は、接近開始点と接近開始点候補列に基づいて、鎖錠対象を要素とする接近軌道回路・進路列を生成し、接近鎖錠連動表生成部１０９でこれらを連動表の「接近鎖錠又は保留鎖錠」の項目に展開する。【選択図】図１
2010228608.tif 000002
【特許請求の範囲】
【請求項１】
停車場構内の配線情報を管理する配線略図データベースと接続し、以下の要素を有することを特徴とする接近鎖錠連動表生成システム
（１）信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブル
（２）配線略図データベースから構内信号機毎に信号機種別を取得し、進路内に転てつ器が存在するか対向進路が存在する場合に、通過の有無を判定し標準鎖錠条件テーブルに従って信号機種別と通過の有無に対応する標準鎖錠タイプと標準解錠時素を特定し、  標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、通過の有無を判定し、通過が無しであれば配線略図データベースより当該信号機の直前の軌道回路を取得し、取得した直前の軌道回路を接近開始点テーブルにおける当該信号機の接近開始点に登録し、通過が有れば当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定部
（３）保留鎖錠又は接近鎖錠による連動制御の対象となる連動信号機毎に、接近開始点と、設定解錠時素を対応付けて記憶するための接近開始点テーブル
（４）連動信号機毎に、接近開始点候補列を対応付けて記憶するための接近開始点候補列テーブル
（５）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成部
（６）連動信号機毎に、接近軌道回路・進路列を対応付けて記憶するための接近軌道回路・進路列テーブル
（７）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成部。
【請求項２】
前記標準鎖錠条件テーブルは、標準鎖錠タイプである接近鎖錠を、当該信号機による進路に列車が停車する運行と停車せずに通過する運行の両方を考慮する通過有接近鎖錠と、当該信号機による進路に列車が停車する運行のみを考慮する通過無接近鎖錠に区別し、
前記接近開始点設定部は、標準鎖錠タイプが通過無接近鎖錠である場合には、配線略図データベースより当該信号機の直前の軌道回路を取得し、取得した直前の軌道回路を接近開始点テーブルにおける当該信号機の接近開始点に登録し、標準鎖錠タイプが通過有接近鎖錠である場合には、当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録することを特徴とする請求項１記載の接近鎖錠連動表生成システム。
【請求項３】
前記配線略図データベースは、信号機種別として、場内信号機、出発信号機、誘導信号機、入換信号機、及び入換標識の種類を区別し、
前記標準鎖錠条件テーブルは、信号機種別毎に通過の有無別に、標準鎖錠タイプとして接近鎖錠か保留鎖錠かを区別し、解錠時素の設定を行うことを特徴とする請求項２記載の接近鎖錠連動表生成システム。
【請求項４】
前記配線略図データベースは、信号機種別として、更に閉そく信号機の種類を区別し、
前記標準鎖錠条件テーブルは、閉そく信号機の標準鎖錠タイプを鎖錠不要とし、
前記接近開始点設定部は、標準鎖錠タイプが鎖錠不要である場合には、開始点を設定しないことを特徴とする請求項３記載の接近鎖錠連動表生成システム。
【請求項５】
前記配線略図データベースは、信号機種別として、出発信号機を通過有無で区別せず、
前記接近開始点設定部は、当該信号機に連続する進路の有無を配線略図データベースより取得し、連続する進路が無い場合には、通過無と判定し、連続する進路がある場合には、外方の連続信号機の現示を取得し、進行を現示する場合には、通過有と判定し、進行を現示しない場合には、通過無と判定することを特徴とする請求項２記載の接近鎖錠連動表生成システム。
【請求項６】
接近鎖錠連動表生成システムは、進路に対応付けて「鎖錠」の項目を記憶する連動表記億部を有し、
前記接近開始点設定部は、連動表記憶部の「鎖錠」の項目で当該信号機が反位鎖錠で設定されている進路があれば、通過無と判定することを特徴とする請求項６記載の接近鎖錠連動表生成システム。
【請求項７】
前記接近開始点設定部は、順次、当該信号機の外方の軌道回路を特定し、当該軌道回路を接近開始点候補列に加え、当該軌道回路が閉そくではなく、当該信号機の外方に進路が存在し、当該外方進路に対応する信号機が通過無接近鎖錠では無い場合に、当該外方進路を接近開始点候補列に加える処理を繰り返すことにより、接近開始点候補列を生成することを特徴とする請求項１記載の接近鎖錠連動表生成システム。
【請求項８】
前記接近軌道回路・進路列生成部は、接近開始点候補列のうち、接近開始点から内方へ順に要素を特定し、要素が軌道回路である場合には、既に加えられている場合を除き、当該軌道回路を接近軌道回路・進路列に加え、要素が進路である場合には、当該進路内の進路区分鎖錠軌道回路を特定し、特定した進路区分鎖錠軌道回路を接近軌道回路・進路列に加え、更に要素である当該進路を接近軌道回路・進路列に加える処理を繰り返すことにより、接近軌道回路・進路列を生成することを特徴とする請求項１記載の接近鎖錠連動表生成システム。
【請求項９】
前記接近鎖錠連動表生成部は、接近軌道回路・進路列に進路があれば始め丸括弧を「接近鎖錠又は保留鎖錠」の項目に加え、接近軌道回路・進路列のうち、接近開始点から内方へ順に要素を特定し、
要素が軌道回路である場合には、当該軌道回路を「接近鎖錠又は保留鎖錠」の項目に加え、
要素が進路である場合には、一つ前の鎖錠対象が軌道回路であれば「但」を「接近鎖錠又は保留鎖錠」の項目に加え、更に当該進路を反位表記を付して「接近鎖錠又は保留鎖錠」の項目に加え、後の鎖錠対象が進路で無ければ、終わり丸括弧を「接近鎖錠又は保留鎖錠」の項目に加え、
すべての要素に上記処理を繰り返し、
設定解錠時素を始め二重丸括弧と終わり二重丸括弧で挟んで、「接近鎖錠又は保留鎖錠」の項目の最後に加えることにより、「接近鎖錠又は保留鎖錠」の項目の記述を生成することを特徴とする請求項１記載の接近鎖錠連動表生成システム。
【請求項１０】
停車場構内の配線情報を管理する配線略図データベースと接続し、信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブルと、保留鎖錠又は接近鎖錠による連動制御の対象となる連動信号機毎に、接近開始点と、設定解錠時素を対応付けて記憶するための接近開始点テーブルと、連動信号機毎に、接近開始点候補列を対応付けて記憶するための接近開始点候補列テーブルと、連動信号機毎に、接近軌道回路・進路列を対応付けて記憶するための接近軌道回路・進路列テーブルを有する接近鎖錠連動表生成システムによる接近鎖錠連動表生成方法であって、以下の工程を有することを特徴とする接近鎖錠連動表生成方法
（１）配線略図データベースから構内信号機毎に信号機種別を取得し、進路内に転てつ器が存在するか対向進路が存在する場合に、通過の有無を判定し標準鎖錠条件テーブルに従って信号機種別と通過の有無に対応する標準鎖錠タイプと標準解錠時素を特定し、
標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、通過の有無を判定し、通過が無しであれば配線略図データベースより当該信号機の直前の軌道回路を取得し、取得した直前の軌道回路を接近開始点テーブルにおける当該信号機の接近開始点に登録し、通過が有れば当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定工程
（２）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成工程
（３）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成工程。
【請求項１１】
停車場構内の配線情報を管理する配線略図データベースと接続し、信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブルと、保留鎖錠又は接近鎖錠による連動制御の対象となる連動信号機毎に、接近開始点と、設定解錠時素を対応付けて記憶するための接近開始点テーブルと、連動信号機毎に、接近開始点候補列を対応付けて記憶するための接近開始点候補列テーブルと、連動信号機毎に、接近軌道回路・進路列を対応付けて記憶するための接近軌道回路・進路列テーブルを有する接近鎖錠連動表生成システムとなるコンピュータに、以下の手順を実行させるためのプログラム
（１）配線略図データベースから構内信号機毎に信号機種別を取得し、進路内に転てつ器が存在するか対向進路が存在する場合に、通過の有無を判定し標準鎖錠条件テーブルに従って信号機種別と通過の有無に対応する標準鎖錠タイプと標準解錠時素を特定し、
標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、通過の有無を判定し、通過が無しであれば配線略図データベースより当該信号機の直前の軌道回路を取得し、取得した直前の軌道回路を接近開始点テーブルにおける当該信号機の接近開始点に登録し、通過が有れば当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定手順
（２）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成手順
（３）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成手順。
【発明の詳細な説明】
【技術分野】
【０００１】
本発明は、鉄道信号の連動装置に組み込む接近鎖錠又は保留鎖錠データを作成する接近鎖錠連動表生成システムに関する。
【背景技術】
【０００２】
駅構内の転てつ機や進路の制御は、連動装置によって行われる。しかし、駅構内の線路配線や運転形態は駅毎に異なり、画一的に連動装置を製作することはできない。このため、駅毎に連動装置の動作を連動図表に規定し、これに基づき、連動動作理論を作成して連動装置に組み込む。
【０００３】
連動図表は、配線略図と連動表からなり、配線略図には駅構内の線形と信号設備を作図し、連動表には連動装置の動作理論を記述する。連動表は、配線略図に基づいて作成する。この作業を効率化するために、配線略図から連動理論を自動的に作成されることが望まれる。
【０００４】
連動理論の作成は、基本的に配線略図に基づいて行われるので、従来のシステムでも配線略図に基づいて自動作成を試みていたが、配線略図のみからは決定できない条件が多く存在するため、連動理論自動作成後の修正を余儀なくされていた。更に、連動図表の作成は何度も繰り返されるため、自動生成後の作業負担が大きかった。このため、配線略図のみからでは決定できない条件も加味した連動理論の自動作成の要求は大きい。
【先行技術文献】
【特許文献】
【０００５】
【特許文献１】特開２００３−０６３４０１号公報
【発明の概要】
【発明が解決しようとする課題】
【０００６】
そこで、本発明は、このような問題を解決することを主な目的とする。特に連動理論の１つである接近鎖錠又は保留鎖錠に関して連動表を自動作成する。尚、接近鎖錠及び保留鎖錠は、進路の設定後列車が進路内方に進入する前に信号現示を停止信号に変更したときに、列車が信号機まで止まりきれない場合に備えて進路内に過走してもよいように、一定時間進路内の鎖錠を継続する制御である。
【課題を解決するための手段】
【０００７】
本願発明に係る接近鎖錠連動表生成システムは、
停車場構内の配線情報を管理する配線略図データベースと接続し、以下の要素を有することを特徴とする
（１）信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブル
（２）配線略図データベースから構内信号機毎に信号機種別を取得し、信号機の進路内に転てつ器又は対向進路が存在する場合は、標準鎖錠条件テーブルに従って信号機種別に対応する標準鎖錠タイプと標準解錠時素を特定し、
標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、配線略図データベースより当該信号機の直前の軌道回路を取得し、取得した直前の軌道回路を接近開始点テーブルにおける当該信号機の接近開始点に登録し、あるいは当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定部
（３）保留鎖錠又は接近鎖錠による連動制御の対象となる連動信号機毎に、接近開始点と、設定解錠時素を対応付けて記憶するための接近開始点テーブル
（４）連動信号機毎に、接近開始点候補列を対応付けて記憶するための接近開始点候補列テーブル
（５）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成部
（６）連動信号機毎に、接近軌道回路・進路列を対応付けて記憶するための接近軌道回路・進路列テーブル
（７）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成部。
【０００８】
更に、前記標準鎖錠条件テーブルは、標準鎖錠タイプである接近鎖錠を、当該信号機による進路に列車が停車する運行と停車せずに通過する運行の両方を考慮する通過有接近鎖錠と、当該信号機による進路に列車が停車する運行のみを考慮する通過無接近鎖錠に区別し、
前記接近開始点設定部は、標準鎖錠タイプが通過無接近鎖錠である場合には、配線略図データベースより当該信号機の直前の軌道回路を取得し、取得した直前の軌道回路を接近開始点テーブルにおける当該信号機の接近開始点に登録し、標準鎖錠タイプが通過有接近鎖錠である場合には、当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録することを特徴とする。
【０００９】
更に、
前記配線略図データベースは、信号機種別として、場内信号機、出発信号機、誘導信号機、入換信号機、及び入換標識の種類を区別し、
前記標準鎖錠条件テーブルは、信号機種別毎に通過の有無別に、標準鎖錠タイプとして接近鎖錠か保留鎖錠かを区別し、解錠時素の設定を行うことを特徴とする。
【００１０】
更に、
前記配線略図データベースは、信号機種別として、更に閉そく信号機の種類を区別し、
前記標準鎖錠条件テーブルは、閉そく信号機の標準鎖錠タイプを鎖錠不要とし、
前記接近開始点設定部は、標準鎖錠タイプが鎖錠不要である場合には、開始点を設定しないことを特徴とする。
【００１１】
更に、
前記配線略図データベースは、信号機種別として、出発信号機を通過有無で区別せず、
前記接近開始点設定部は、当該信号機に連続する進路の有無を配線略図データベースより取得し、連続する進路が無い場合には、通過無と判定し、連続する進路がある場合には、外方の連続信号機の現示を取得し、進行を現示する場合には、通過有と判定し、進行を現示しない場合には、通過無と判定することを特徴とする。
【００１２】
更に、
接近鎖錠連動表生成システムは、進路に対応付けて「鎖錠」の項目を記憶する連動表記億部を有し、
前記接近開始点設定部は、連動表記憶部の「鎖錠」の項目で当該信号機が反位鎖錠で設定されている進路があれば、通過無と判定することを特徴とする。
【００１３】
更に、
前記接近開始点設定部は、順次、当該信号機の外方の軌道回路を特定し、当該軌道回路を接近開始点候補列に加え、当該軌道回路が閉そくではなく、当該信号機の外方に進路が存在し、当該外方進路に対応する信号機が通過無接近鎖錠では無い場合に、当該外方進路を接近開始点候補列に加える処理を繰り返すことにより、接近開始点候補列を生成することを特徴とする。
【００１４】
更に、
前記接近軌道回路・進路列生成部は、接近開始点候補列のうち、接近開始点から内方へ順に要素を特定し、要素が軌道回路である場合には、既に加えられている場合を除き、当該軌道回路を接近軌道回路・進路列に加え、要素が進路である場合には、当該進路内の進路区分鎖錠軌道回路を特定し、特定した進路区分鎖錠軌道回路を接近軌道回路・進路列に加え、更に要素である当該進路を接近軌道回路・進路列に加える処理を繰り返すことにより、接近軌道回路・進路列を生成することを特徴とする。
【００１５】
更に、
前記接近鎖錠連動表生成部は、接近軌道回路・進路列に進路があれば始め丸括弧を「接近鎖錠又は保留鎖錠」の項目に加え、接近軌道回路・進路列のうち、接近開始点から内方へ順に要素を特定し、
要素が軌道回路である場合には、当該軌道回路を「接近鎖錠又は保留鎖錠」の項目に加え、
要素が進路である場合には、一つ前の鎖錠対象が軌道回路であれば「但」を「接近鎖錠又は保留鎖錠」の項目に加え、更に当該進路を反位表記を付して「接近鎖錠又は保留鎖錠」の項目に加え、後の鎖錠対象が進路で無ければ、終わり丸括弧を「接近鎖錠又は保留鎖錠」の項目に加え、
すべての要素に上記処理を繰り返し、
設定解錠時素を始め二重丸括弧と終わり二重丸括弧で挟んで、「接近鎖錠又は保留鎖錠」の項目の最後に加えることにより、「接近鎖錠又は保留鎖錠」の項目の記述を生成することを特徴とする。
【００１６】
本願発明に係る接近鎖錠連動表生成方法は、
停車場構内の配線情報を管理する配線略図データベースと接続し、信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブルと、保留鎖錠又は接近鎖錠による連動制御の対象となる連動信号機毎に、接近開始点と、設定解錠時素を対応付けて記憶するための接近開始点テーブルと、連動信号機毎に、接近開始点候補列を対応付けて記憶するための接近開始点候補列テーブルと、連動信号機毎に、接近軌道回路・進路列を対応付けて記憶するための接近軌道回路・進路列テーブルを有する接近鎖錠連動表生成システムによる接近鎖錠連動表生成方法であって、以下の工程を有することを特徴とする
（１）配線略図データベースから構内信号機毎に信号機種別を取得し、信号機の進路内に転てつ器又は対向進路が存在する場合は、標準鎖錠条件テーブルに従って信号機種別に対応する標準鎖錠タイプと標準解錠時素を特定し、
標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、配線略図データベースより当該信号機の直前の軌道回路を取得し、取得した直前の軌道回路を接近開始点テーブルにおける当該信号機の接近開始点に登録し、あるいは当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定工程
（２）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成工程
（３）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成工程。
【００１７】
本願発明に係るプログラムは、
停車場構内の配線情報を管理する配線略図データベースと接続し、信号機種別毎に、当該信号機種別の標準的な鎖錠のタイプとして保留鎖錠又は接近鎖錠の別を示す標準鎖錠タイプと、当該信号機種別の標準的な鎖錠の継続時間である標準解錠時素を記憶する標準鎖錠条件テーブルと、保留鎖錠又は接近鎖錠による連動制御の対象となる連動信号機毎に、接近開始点と、設定解錠時素を対応付けて記憶するための接近開始点テーブルと、連動信号機毎に、接近開始点候補列を対応付けて記憶するための接近開始点候補列テーブルと、連動信号機毎に、接近軌道回路・進路列を対応付けて記憶するための接近軌道回路・進路列テーブルを有する接近鎖錠連動表生成システムとなるコンピュータに、以下の手順を実行させることを特徴とする
（１）配線略図データベースから構内信号機毎に信号機種別を取得し、信号機の進路内に転てつ器又は対向進路が存在する場合は、標準鎖錠条件テーブルに従って信号機種別に対応する標準鎖錠タイプと標準解錠時素を特定し、
標準鎖錠タイプが保留鎖錠である場合には、接近開始点テーブルにおける当該信号機の接近開始点の設定を不要とし、特定した標準解錠時素を接近開始点テーブルにおける当該信号機の設定解錠時素に登録し、
標準鎖錠タイプが接近鎖錠である場合には、配線略図データベースより当該信号機の直前の軌道回路を取得し、取得した直前の軌道回路を接近開始点テーブルにおける当該信号機の接近開始点に登録し、あるいは当該信号機の外方の所定軌道回路又は進路を候補要素とする接近開始点候補列を生成し、接近開始点候補列の候補要素から操作者による接近開始点の選択を受け付け、受け付けた接近開始点を接近開始点テーブルにおける当該信号機の接近開始点に登録し、
更に先に特定した標準解錠時素を接近開始点テーブルにおける当該信号機の設定解錠時素に登録する接近開始点設定手順
（２）連動信号機毎に、接近開始点テーブルに記憶している接近開始点と、接近開始点候補列テーブルに記憶している接近開始点候補列に基づいて、連動表の「接近鎖錠又は保留鎖錠」の項目に記載する鎖錠対象を特定し、鎖錠対象を要素とする列からなる接近軌道回路・進路列を生成し、接近軌道回路・進路列テーブルにおける当該信号機の接近軌道回路・進路列として登録する接近軌道回路・進路列生成手順
（３）連動信号機毎に、接近軌道回路・進路列テーブルで記憶している接近軌道回路・進路列と、接近開始点テーブルで記憶している設定解錠時素に基づいて、連動表の「接近鎖錠又は保留鎖錠」の項目の記述を生成する接近鎖錠連動表生成手順。
【発明の効果】
【００１８】
本発明によれば、接近鎖錠及び保留鎖錠について、予め信号機種別毎に、標準となる鎖錠タイプと標準となる解錠時素（解錠するまでの待機時間）を設定し、これを用いることにより、連動表の接近鎖錠及び保留鎖錠項目を自動的に作成できる。
【００１９】
また、標準となる鎖錠タイプと標準となる解錠時素以外の鎖錠タイプあるいは解錠時素に修正する場合も、作業負担が軽減される。
【図面の簡単な説明】
【００２０】
【図１】接近鎖錠連動表生成システムの構成を示す図である。
【図２】配線略図の例を示す図である。
【図３】標準鎖錠条件テーブルの例を示す図である。
【図４】構内信号機リストの例を示す図である。
【図５】接近開始点テーブルの例を示す図である。
【図６】接近開始点候補列テーブルの例を示す図である。
【図７】メイン処理フローを示す図である。
【図８】接近開始点設定処理フローを示す図である。
【図９】鎖錠タイプ別接近開始点判定処理フローを示す図である。
【図１０】通過有接近開始点受付処理フローを示す図である。
【図１１】接近開始点候補列の抽出処理フローを示す図である。
【図１２】接近軌道回路・進路列テーブルの例を示す図である。
【図１３】接近軌道回路・進路列生成処理フローを示す図である。
【図１４】接近鎖錠連動表の例を示す図である。
【図１５】接近鎖錠連動表生成処理フローを示す図である。
【図１６】出発信号通過有無判定処理フロー（その１）を示す図である。
【図１７】出発信号通過有無判定処理フロー（その２）を示す図である。
【図１８】外方進路反位鎖錠判定処理フローを示す図である。
【発明を実施するための形態】
【００２１】
実施の形態１．
接近鎖錠とは、列車が信号機に接近している状態で、信号機の現示を停止に変更した場合に、一定時間が経過しないと関係する転てつ機を転換できないように鎖錠することである。鎖錠とは、信号機や転てつ機等を電気的手段あるいは機械的手段により、操作できないようにすることである。
【００２２】
これにより、列車が接近している信号機が急に停止現示に変更された場合にも、進路上の転てつ機の鎖錠が直ちに解除される事態を回避することにより、列車が止まれ切れずに信号機の内方（進行における先方向）へ進入した場合にも、その進路を保証する。
【００２３】
保留鎖錠は、列車の位置に関わらず、進行現示から停止現示にされると常に所定時間が経過するまで転てつ機を鎖錠する制御である。出発信号機の現示を急に停止に変更したが、既に発車してしまった列車が止まりきれずに信号機の先方（内方）に入ってしまうという事態においても、その進路を保証することができる。
【００２４】
接近鎖錠連動表生成システムでは、これらの接近鎖錠と保留鎖錠の理論を規定する連動表の接近鎖錠及び保留鎖錠の項を自動生成する。
【００２５】
図１は、接近鎖錠連動表生成システムの構成を示す図である。接近鎖錠連動表生成システムは、配線略図データベース１０１、接近開始点設定部１０２、標準鎖錠条件テーブル１０３、接近開始点テーブル１０４、接近開始点候補列テーブル１０５、接近軌道回路・進路列生成部１０６、接近軌道回路・進路列テーブル１０７、接近軌道連動表生成部１０８、及び接近軌道連動表記憶部１０９の要素を有している。
【００２６】
配線略図データベース１０１は、配線略図に関するデータを管理するデータベースであり、接近鎖錠連動表生成システムからの探索要求に応じて、配線略図に基づくデータを探索し、要求されたデータを返信するように構成されている。配線略図は、駅構内の線路配線線形や信号設備を記した図である。配線略図データベース１０１を、接近鎖錠連動表生成システムの外部に設けることもできる。図２は、配線略図の例を示す図である。
【００２７】
標準鎖錠条件テーブル１０３は、信号機の種別毎に、標準となる鎖錠タイプと、標準となる解錠時素（解錠するまでの時間）を設定するように構成されている。図３は、標準鎖錠条件テーブルの例を示す図である。信号機種別毎にレコードを設け、信号機種別と、標準鎖錠タイプと、標準解錠時素の項目を対応付けて記憶するように構成されている。これらの各データは、予め標準鎖錠条件テーブル設定部（図示せず）により設定されている。
【００２８】
信号機種別として示した場内信号機とは、停車場（例えば、駅）への進入の可否を指示する信号機のことであり、出発信号機とは、停車場から列車が出発することの可否を指示する信号機のことであり、誘導信号機とは、停車場に在線している列車との併結を行うことを前提として停車場への進入の可否を指示する信号機のことであり、入換信号機とは、停車場で入れ換え作業を行う車両に対する信号機のことであり、閉そく信号機とは、自動閉塞式を施行する閉塞区間の始端に設けられる信号機のことである。また、入換標識とは、停車場で進路等が開通しているか否かを示す標識であり、標識も他の信号と同様に扱うことができる。
【００２９】
接近開始点設定部１０２は、配線略図データベース１０１に対して構内信号機リストを要求し、取得した構内信号機リストを用いて処理を行なう。駅構内に設置される信号機毎に信号機の種別を特定するリストである。図４は、構内信号機リストの例を示す図である。構内信号機毎にレコードを設け、構内信号機名称信号機種別、及び通過の有無の項目を対応付けて記憶するように構成されている。通過の有無は、実施の形態２，３によって判定する。
【００３０】
次に、接近開始点設定部１０２により生成される接近開始点テーブル１０４について説明する。接近開始点テーブル１０４には、構内信号機に対して、接近鎖錠で列車が接近していると判断する範囲の開始点である接近開始点と、信号変更から解錠するまでの時間を意味する解錠時素が設定される。図５は、接近開始点テーブルの例を示す図である。構内信号機のうち、接近鎖錠又は保留鎖錠の対象なり得る連動信号機毎にレコードを設け、連動信号機名称と、接近開始点と、設定解錠時素との項目を対応付けて記憶するように構成されている。尚、進路は１つの信号機により特定できるように構成されているので、信号機名称は、信号機の識別情報として用いられる他、進路を特定する進路特定情報としても用いることができる。
【００３１】
また、接近開始点設定部１０２により生成される接近開始点候補列テーブル１０５について説明する。接近開始点候補列テーブル１０５には、構内信号機に対して、接近開始点候補列が設定される。接近開始点候補列は、接近開始点と成りうる軌道回路又は進路を要素とする列である。図６は、接近開始点候補列テーブルの例を示す図である。連動信号機毎にレコードを設け、連動信号機名称と、接近開始点候補列の項目を対応付けて記憶するように構成されている。
【００３２】
続いて、具体的な処理について説明する。図７は、メイン処理フローを示す図である。接近開始点設定部１０２による接近開始点設定処理（Ｓ７０１）、接近軌道回路・進路列生成部１０６による接近軌道回路・進路列生成処理（Ｓ７０２）、接近鎖錠連動表生成部１０８による接近鎖錠連動表生成処理（Ｓ７０３）の順に処理を行なう。
【００３３】
まず、接近開始点設定部１０２による接近開始点設定処理（Ｓ７０１）について説明する。図８は、接近開始点設定処理フローを示す図である。鎖錠タイプ別に接近開始点を判定する鎖錠タイプ別接近開始点判定処理（Ｓ８０１）に続いて、通過が有る接近鎖錠に関する接近開始点を操作者に指示させる通過有接近開始点受付処理（Ｓ８０２）を行う。
【００３４】
図９は、鎖錠タイプ別接近開始点判定処理（Ｓ８０１）のフローを示す図である。構内信号機リストにある構内信号機について、順次以下の処理を繰り返す（Ｓ９０１）。当該信号機が進路内に転てつ器がある場合（Ｓ９０２）、及び対向進路がある場合（Ｓ９０３）には、Ｓ９０４以降の接近鎖錠又は保留鎖錠の設定の処理を行なう。一方、当該信号機が進路内に転てつ器がなく（Ｓ９０２）、更に対向進路が無い場合（Ｓ９０３）には、接近開始点テーブル１０４の連動信号機名称に構内信号機名称をコピーし、接近開始点に設定不要コードを、設定解錠時素に０秒を登録し（Ｓ９０４）、接近鎖錠又は保留鎖錠の設定を行わない。当該信号機が進路内に転てつ器があるか否か、及び当該信号機の進路に対向進路が存在するか否かの判定結果は、配線略図データベース１０１より取得する。
【００３５】
図２の信号機２Ｒ，３Ｒ，４Ｒ，６Ｒ，７Ｒ，８Ｒ，９Ｒ，２１ＲＺ，３１Ｒ，４１Ｒは、進路内に転てつ器があり、信号機１Ｒは、進路内に転てつ器がないが対向進路があるので、いずれも連動信号機として接近鎖錠又は保留鎖錠の対象として扱う。これに対し、信号機５Ｒは、進路内に転てつ器はなく、対向進路も無いので、鎖錠の対象としない。このように対象を選択する理由は、不必要な鎖錠をできるだけ避けるためである。
【００３６】
接近開始点を設定する構内信号機の信号機種別と通過の有無を構内信号機リストの対応付けにより特定し、標準鎖錠条件テーブル１０３を用いて当該信号機種別と通過の有無に対応する標準解錠時素を特定し、接近開始点テーブル１０４の連動信号機名称に構内信号機名称をコピーし、標準鎖錠条件テーブル１０３で当該信号機種別と通過の有無に対応する標準解錠時素を特定し、接近開始点テーブル１０４の設定解錠時素にコピーする（Ｓ９０５）。
【００３７】
信号機種別に対応する標準鎖錠タイプを特定し（Ｓ９０６）、標準鎖錠タイプが保留鎖錠である場合には（Ｓ９０７）、接近開始点テーブル１０４の接近開始点に設定不要コードを登録する（Ｓ９０８）。
【００３８】
標準鎖錠タイプが接近鎖錠である場合には、当該信号機の通過の有無を判定し（Ｓ９０９）、通過無しであれば接近開始点テーブル１０４の接近開始点に直前の軌道回路を設定する（Ｓ９１０）。尚、信号機の直前の軌道回路は、配線略図データベース１０１より取得する。
【００３９】
通過有りであれば、接近開始点テーブル１０４の接近開始点に設定催促コードを仮登録する（Ｓ９１１）。
【００４０】
例えば、図２の信号機２１ＲＺは、種別が誘導信号機であるので、標準解錠時素３０秒を登録し、標準鎖錠タイプが保留鎖錠であるので、接近開始点に設定不要コードを登録する。信号機６Ｒは、種別が出発信号機で通過が無いので、標準解錠時素３０秒を登録し、標準鎖錠タイプが接近鎖錠であり通過が無いので、直前の軌道回路ＩＴを設定する。信号機７Ｒは、種別が出発信号機で通過が有るので、標準解錠時素９０秒を登録し、標準鎖錠タイプが接近鎖錠であり通過が有るので、設定催促コードを仮登録する。
【００４１】
これらの処理をすべての構内信号機について処理した時点で終了する（Ｓ９１２）。
【００４２】
続いて、図１０は、通過有接近開始点受付処理（Ｓ８０２）のフローを示す図である。接近開始点テーブル１０４の接近開始点に設定催促コードを仮登録した信号機について以下の処理を繰り返す（Ｓ１００１）。接近開始点候補列を抽出する処理（Ｓ１００２）に続いて、接近開始点候補列を出力画面に表示して（Ｓ１００３）、列に含まれる候補の中から接近開始点の選択を促し、指示された接近開始点の選択を受け付ける（Ｓ１００４）。そして、選択された接近開始点を接近開始点テーブル１０４に書き込む（Ｓ１００５）。これらの処理をすべての仮登録した信号機について処理した時点で終了する（Ｓ１００６）。
【００４３】
上述の接近開始点候補列を抽出する処理（Ｓ１００２）について詳述する。図１１は、接近開始点候補列の抽出処理フローを示す図である。最初に当該信号機を処理対象信号機として設定し、処理対象信号機の外方（進行における手前方向）の軌道回路を特定し、外方の軌道回路が無くなった時点で処理を終了する（Ｓ１１０２）。処理対象信号機は、順次、外方の信号機を配線略図データベース１０１より取得する。
【００４４】
外方の軌道回路が有る場合には、外方の軌道回路を接近開始点候補列に加える（Ｓ１１０３）。更に処理対象信号機の外方の進路を特定する（Ｓ１１０４）。外方の進路が存在しない場合（Ｓ１１０５）、外方軌道回路閉そくかを判定する（Ｓ１１０６）。閉そくでなければ、当該処理を終了する。閉そくであれば、その外方進路の対応する信号機を処理対象信号機として（Ｓ１１０７）、Ｓ１１０２の処理から再度実行する。Ｓ１１０５において、外方進路が存在する場合、その進路に対応する信号機の標準タイプが通過有接近鎖錠でなければ、当該処理を終了する。通過有信号機であれば、その外方進路を接近開始点候補列に加える（Ｓ１１０９）。その外方進路の対応する信号機を処理対象信号機として（Ｓ１１１０）、Ｓ１１０２の処理から再度実行する。
【００４５】
例えば、場内信号機３Ｒは、外方軌道回路下外１Ｔが存在するので、これを接近開始点候補列に加える。３Ｒの外方進路がなく、下外１Ｔは閉そくであるので、その外方信号機下外１を処理対象信号機とする。下外１の外方には軌道回路下外２Ｔが存在するので、これを接近開始点候補列に加える。下外２信号機の外方には、２Ｒ進路が存在し、２Ｒに対応する信号機２Ｒが通過有り信号機であるので、これを接近開始点候補列に加え、その外方信号機２Ｒを処理対象信号機とする。２Ｒ信号機の外方には、軌道回路１ＲＴが存在するので、これを接近開始点候補に加える。２Ｒの外方には、１Ｒ進路が存在し、１Ｒに対応する信号機１Ｒが通過有り信号機であるので、これを接近開始点候補列に加え、その外方信号機１Ｒを処理対象信号機とする。１Ｒの外方の外方には、軌道回路下１Ｔが存在するので、これを接近開始点候補に加える。１Ｒの外方には進路が無く、外方信号機も存在しないので処理を終了する。また、出発信号機７Ｒは、外方軌道回路３ＲＡＴが存在するので、これを接近開始点候補列に加える。７Ｒの外方には３ＲＡ進路が存在するが、３ＲＡに対応する信号機３ＲＡが通過無しであるので処理を終了する。なお、進路を接近開始点に加えるのは、列車の減速のタイミングが信号機によるためである。それに対して、信号機７Ｒは外方軌道回路３ＲＡＴを接近開始点候補列に加えるが、外方の進路３ＲＡに対応する信号機３ＲＡは通過無接近鎖錠扱いであるので候補に加える必要はない。これは、通過が無い信号機は発点軌道回路からの出発のみとなるからである。
【００４６】
次に、接近軌道回路・進路列生成部１０６による接近軌道回路・進路列生成処理（Ｓ７０２）について説明する。接近軌道回路・進路列生成処理（Ｓ７０２）で生成される接近軌道回路・進路列テーブル１０７は、連動信号機毎に接近軌道回路・進路列を特定する。接近軌道回路・進路列は、連動表の「接近鎖錠又は保留鎖錠」の項目で特定する軌道回路及び進路を要素とする列である。図１２は、接近軌道回路・進路列テーブルの例を示す図である。連動信号機毎にレコードを設け、連動信号機名称と接近経路軌道回路・進路列の項目を対応付けて記憶するように構成されている。
【００４７】
図１３は、接近軌道回路・進路列生成処理フローを示す図である。接近開始点候補列テーブル１０５の連動信号機毎に以下の処理を繰り返す（Ｓ１３０１）。まず、接近開始点候補列テーブル１０５の接近開始点候補列のうち、接近開始点から内方へ順に要素を特定する（Ｓ１３０２）。そして、その要素（Ｓ１３０３）が軌道回路である場合には、その軌道回路が接近軌道回路・進路列に既に加えられているか判断し（Ｓ１３０４）、まだ加えられていない場合には、当該軌道回路を接近軌道回路・進路列に加える（Ｓ１３０５）。一方、要素が進路である場合には、その進路内の進路区分鎖錠軌道回路を特定し、接近軌道回路・進路列に加える（Ｓ１３０６）。進路内の進路区分鎖錠軌道回路は、配線略図データベース１０１より取得する。更に、当該進路を接近軌道回路・進路列に加える（Ｓ１３０７）。これらの処理をすべての要素について処理した時点で（Ｓ１３０８）、当該連動信号機に対する処理を終える。そして、これらの処理をすべての連動信号機について処理した時点で終了する（Ｓ１３０９）。尚、軌道回路と進路の別は、名称に"Ｔ"を含むか否かにより判断することができる。
【００４８】
最後に、接近軌道回路・進路列テーブル１０７による接近鎖錠連動表生成処理（Ｓ７０３）について説明する。接近鎖錠連動表は、連動表のうち接近鎖錠又は保留鎖錠に関連する項目に関する表である。図１４は、接近鎖錠連動表の例を示す図である。連動信号機毎にレコードを設け、連動信号機名称と接近鎖錠又は保留鎖錠の項目を対応付けて記憶するように構成されている。
【００４９】
図１５は、接近鎖錠連動表生成処理フローを示す図である。接近軌道回路・進路列テーブル１０７の連動信号機毎に以下の処理を繰り返す（Ｓ１５０１）。当該連動信号機に対応する接近軌道回路・進路列に進路があれば始め丸括弧を加える（Ｓ１５０２）。そして、接近軌道回路・進路列のうち、接近開始点から内方へ順に要素を特定し、以下の処理を繰り返す（Ｓ１５０３）。その要素が軌道回路である場合には（Ｓ１５０４）、接近軌道回路・進路列生成部１０６の当該連動信号に対応する接近鎖錠又は保留鎖錠の欄に、当該軌道回路を加える（Ｓ１５０５）。一方、その要素が進路である場合には、一つ前の鎖錠対象が軌道回路であれば「但」を接近鎖錠又は保留鎖錠の欄に加える（Ｓ１５０６）。そして、当該進路を反位表記（丸印）を付して接近鎖錠又は保留鎖錠の欄に加える（Ｓ１５０７）。また、後の鎖錠対象が進路でなければ、終わり丸括弧を接近鎖錠又は保留鎖錠の欄に加える（Ｓ１５０８）。これらの処理をすべての要素について行なった時点で（Ｓ１５０９）、接近開始点テーブル１０４で当該連動信号機に対応付けられている設定解錠時素を始め二重丸括弧と終わり二重丸括弧で挟んで、接近鎖錠又は保留鎖錠の欄に加える（Ｓ１５１０）。そして、すべての連動信号機について処理した時点で終了する（Ｓ１５１１）。
【００５０】
例えば、連動信号機８Ｒの接近開始候補列の上段のうち、下外２Ｔと下外１Ｔと３１Ｔと５ＲＢＴは軌道回路であるので、そのまま写され、３ＲＭと５Ｒの進路も写されるが、そのうち進路３ＲＭはその進路内の進路区分鎖錠軌道回路２１イＴと３１Ｔも追加されている。
【００５１】
例えば、連動信号機８Ｒの接近鎖錠又は保留鎖錠の記載例（下外２Ｔ  下外１Ｔ  ２１イＴ  ３１Ｔ  但  ３ＲＭ  ５Ｒ※反位※）５ＲＢＴ」は、接近鎖錠の論理として、８Ｒの進路を復位するとき、下外２Ｔと下外１Ｔと２１イＴと３１Ｔのいずれかに列車が在線している場合、３ＲＭと５Ｒが共に進路設定されているときにのみ接近鎖錠の９０秒の時素解錠となり、進路設定されていなければ無時素解錠とし、５ＲＢＴに在線している場合は必ず９０秒の時素解錠することを意味している。また、連動信号機２１ＲＺの記載例は、保留鎖錠として、３０秒の時素解錠することを意味している。
【００５２】
なお、信号機５Ｒについては、進路内に転てつ器がなく対向進路もないので、時素解錠の必要がなく、常に無時素で解錠する。
【００５３】
実施の形態２．
この実施の形態では、配線略図データベース１０１から構内信号機リストを取得する際に、通過の有無を判定する方法について説明する。
【００５４】
図１６は、出発信号通過有無判定処理フロー（その１）を示す図である。まず、当該信号機に外方側に連続する進路を探索する（Ｓ１６０１）。連続する信号機は、配線略図データベース１０１より取得する。連続する進路が存在しない場合には（Ｓ１６０２）、通過無と判定する（Ｓ１６０４）。一方、連続する進路が存在する場合には、外方の連続信号機の現示について判定する（Ｓ１６０３）。その信号機が進行を現示しない種類の信号機である場合には、通過無と判定し（Ｓ１６０４）、進行を現示する種類の信号機である場合には、通過有と判定する（Ｓ１６０５）。連続する進路の有無、外方連続信号機の現示（信号機の種別）については、配線略図データベース１０１より取得する。
【００５５】
上述のように、通過であるためには連続する進路が必要であるので、連続する進路が無い場合には、通過無と判定する。例えば、信号機６Ｒは、連続する進路が無いので通過無と判定することができる。また、連続する進路があり、外方連続信号機の現示が進行を現示する場合には、進行現示の内方信号機は注意以上であり内方信号機までに停止できないので通過有と判定できるが、進行を現示しない場合には、内方信号機までに停止できるので通過無と判定する。例えば、信号機８Ｒの外方連続信号機５Ｒは、進行を現示するので、通過有と判定することができる。
【００５６】
実施の形態３．
本実施の形態では、更に外方の進路が反位鎖錠するか否かによって、通過の有無を判定する例について説明する。なお、ここでいう通過の有無とは、実際に列車が通過するか否かではなく、接近鎖錠の対策として通過を考慮するか否かである。
【００５７】
図１７は、出発信号通過有無判定処理フロー（その２）を示す図である。Ｓ１７０１〜Ｓ１７０３については、実施の形態２と同様である。当該信号機に連続する進路が存在し、外方に連続する信号機が進行を現示する場合には、更に、外方進路反位鎖錠判定を行なう（Ｓ１７０４）。この判定で反位鎖錠が有ると判断された場合には、通過無しと判定し（Ｓ１７０５）、反位鎖錠が無いと判断された場合には、通過有りと判定する（Ｓ１７０６）。
【００５８】
図１８は、外方進路反位鎖錠判定処理フローを示す図である。連動表を記憶している連動表記憶部より、「鎖錠」の欄で鎖錠対象として当該信号機が反位で設定されている進路を探索する（Ｓ１８０１）。当該信号機が反位鎖錠される進路がなければ（Ｓ１８０２）、反位鎖錠無しと判定し（Ｓ１８０３）、反位鎖錠される進路があれば反位鎖錠有りと判定する（Ｓ１８０４）。
【００５９】
上述のように、内方進路が反位鎖錠される場合には、外方進路によって鎖錠され通過を考慮する必要がないので通過無しと判定することができる。
【００６０】
接近鎖錠連動表生成システムは、コンピュータであり、各要素はプログラムにより処理を実行することができる。また、プログラムを記憶媒体に記憶させ、記憶媒体からコンピュータに読み取られるようにすることができる。
【符号の説明】
【００６１】
１０１  配線略図データベース、１０２  接近開始点設定部、１０３  標準鎖錠条件テーブル、１０４  接近開始点テーブル、１０５  接近開始点候補列テーブル、１０６  接近軌道回路・進路列生成部、１０７  接近軌道回路・進路列テーブル、１０８  接近軌道連動表生成部、１０９  接近軌道連動表記憶部。
【図１】
2010228608.tif 000003
【図２】
2010228608.tif 000004
【図３】
2010228608.tif 000005
【図４】
2010228608.tif 000006
【図５】
2010228608.tif 000007
【図６】
2010228608.tif 000008
【図７】
2010228608.tif 000009
【図８】
2010228608.tif 000010
【図９】
2010228608.tif 000011
【図１０】
2010228608.tif 000012
【図１１】
2010228608.tif 000013
【図１２】
2010228608.tif 000014
【図１３】
2010228608.tif 000015
【図１４】
2010228608.tif 000016
【図１５】
2010228608.tif 000017
【図１６】
2010228608.tif 000018
【図１７】
2010228608.tif 000019
【図１８】
2010228608.tif 000020